(57)【要約】  【課題】スライダがハウジングから不用意に引き出されることを防止できながら、スライダが挿抜時に削られることを防止することができるコネクタを提供する。  【解決手段】コネクタ１は、金属製の複数のコンタクト３と、それらのコンタクト３を保持する樹脂製のハウジング４と、このハウジング４に対して前後方向にスライド可能に設けられ、ＦＰＣをコンタクト３に押し付けるための樹脂製のスライダ５とを備えている。スライダ５は、ハウジング４に挿入される１対の挿入アーム５３を備えており、各挿入アーム５３の先端部には、係止部５３１が幅方向外側に突出して形成されている。一方、ハウジング４の内側壁部４４２の挿入アーム５３と対向する面には、膨出部４４４が幅方向内側に向けて膨出している。スライダ５が引き出されるときには、各挿入アーム５３が弾性変形し、係止部５３１が膨出部４４４を乗り越える。【選択図】        図５
2006048952.tif 000002
【特許請求の範囲】
【請求項１】
配線基板上に実装され、その配線基板に平形で薄手の電気接続部材を電気接続するためのコネクタであって、
配線基板に接合されるコンタクトと、
このコンタクトを保持する樹脂製のハウジングと、
このハウジングに対して挿抜可能に設けられ、上記ハウジングの最奥まで挿入された状態で、電気接続部材を上記コンタクトに押し付ける樹脂製のスライダをさらに含み、
上記スライダは、上記ハウジングに対する挿抜方向に直交する幅方向に突出する係止部を備えており、
上記ハウジングの上記スライダに対向する面には、上記スライダの挿抜時における上記係止部の移動経路上に、上記スライダとの対向方向に膨出する膨出部が形成されていることを特徴とするコネクタ。
【請求項２】
上記ハウジングに保持されており、上記配線基板に固定される固定部を有する金属製の補強タブをさらに含み、
上記補強タブは、上記スライダが上記ハウジングから引き出されるときに、上記係止部が上記膨出部を乗り越えた後に当接し、上記ハウジングからの上記スライダの脱落を防止するための脱落防止片を備えており、
上記脱落防止片は、上記係止部との当接部分が面取りされていることを特徴とする請求項１記載のコネクタ。
【請求項３】
上記脱落防止片は、上記スライダを上記ハウジングに組み付けるときに、上記係止部と摺擦する部分が面取りされていることを特徴とする請求項２記載のコネクタ。
【請求項４】
上記補強タブに対して上記スライダと幅方向反対側から対向する倒れ防止部をさらに含むことを特徴とする請求項２または３記載のコネクタ。
【発明の詳細な説明】
【技術分野】
【０００１】
この発明は、ＦＰＣ（Flexible Printed Circuit：フレキシブルプリント回路）やＦＦＣ（Flexible Flat Cable）などの平形で薄手の電気接続部材を配線基板に接続するためのコネクタに関する。
【背景技術】
【０００２】
従来から、配線基板に実装され、その配線基板にＦＰＣなどの平形で薄手の電気接続部材を接続するためのコネクタが知られている。この種のコネクタは、複数のコンタクトを保持するハウジングと、ハウジングに対してスライド可能に設けられ、フレキシブル配線板をコンタクトに押圧するための樹脂製のスライダと、このスライダをフレキシブル配線板に押圧力を与える位置（ハウジングに押し込まれた状態）で保持するためのロック機構とを備えている。
【０００３】
このようなＦＰＣ用のコネクタにおいて、ロック機構を、配線基板に半田付けされる半田付け部と、スライダに係合する弾性変形可能な係合片とを有するロック金具で構成したものが提案されている（たとえば、特許文献１参照）。このロック金具は、スライダとハウジングの両側壁との各間に介在されていて、スライダがハウジングに押し込まれたときに、スライダに形成された凹部に係合片の先端が入り込むことによって、そのスライダをハウジングに押し込まれた状態で保持する。また、半田付け部がハウジングの両側壁から外側に露出しており、そのハウジングから露出した半田付け部を配線基板上に半田付けすることによって、配線基板に対するコネクタ（コンタクト）の固定強度を増すことができる。
【特許文献１】特開平１１−２０４２１３号公報
【発明の開示】
【発明が解決しようとする課題】
【０００４】
ところが、上記のような構成では、スライダを挿抜させるときに、そのスライダの凹部とロック金具の係合片とが摺擦し、スライダの凹部が係合片によって削られるという不具合がある。
そこで、この発明の目的は、スライダがハウジングから不用意に引き出されることを防止できながら、スライダが挿抜時に削られることを防止することができるコネクタを提供することである。
【課題を解決するための手段】
【０００５】
上記の目的を達成するための請求項１記載の発明は、配線基板上に実装され、その配線基板に平形で薄手の電気接続部材を電気接続するためのコネクタであって、配線基板に接合されるコンタクトと、このコンタクトを保持する樹脂製のハウジングと、このハウジングに対して挿抜可能に設けられ、上記ハウジングの最奥まで挿入された状態で、電気接続部材を上記コンタクトに押し付ける樹脂製のスライダをさらに含み、上記スライダは、上記ハウジングに対する挿抜方向に直交する幅方向に突出する係止部を備えており、上記ハウジングの上記スライダに対向する面には、上記スライダの挿抜時における上記係止部の移動経路上に、上記スライダとの対向方向に膨出する膨出部が形成されていることを特徴とするコネクタである。
【０００６】
この発明によれば、ハウジングのスライダに対向する面には、スライダの挿抜時における係止部の移動経路上に膨出部が形成されており、スライダがハウジングの最奥まで挿入された状態から引き出されるときには、係止部が膨出部を乗り越えなければならない。そのため、スライダがハウジングから不用意に引き出されることを防止できながら、コネクタからの電気接続部材の不所望な抜けを防止することができる。
【０００７】
しかも、膨出部および係止部の両方が樹脂製であるため、膨出部と係止部とが摺擦しても、膨出部および係止部が削れることを防止することができる。
請求項２記載の発明は、上記ハウジングに保持されており、上記配線基板に固定される固定部を有する金属製の補強タブをさらに含み、上記補強タブは、上記スライダが上記ハウジングから引き出されるときに、上記係止部が上記膨出部を乗り越えた後に当接し、上記ハウジングからの上記スライダの脱落を防止するための脱落防止片を備えており、上記脱落防止片は、上記係止部との当接部分が面取りされていることを特徴とする請求項１記載のコネクタである。
【０００８】
この発明によれば、スライダがハウジングから引き出されるときに、係止部が膨出部を乗り越えた後、係止部が補強タブの脱落防止片に当接し、それ以上のスライダのスライドが防止される。これにより、スライダがハウジングから脱落することを防止することができる。
また、脱落防止片の係止部との当接部分が尖っていると、係止部が脱落防止片に当接したときに、その係止部が削れるおそれがある。しかし、この発明では、脱落防止片の係止部との当接部分が面取りされているので、脱落防止片との当接による係止部の削れを防止することができる。
【０００９】
請求項３記載の発明は、上記脱落防止片は、上記スライダを上記ハウジングに組み付けるときに、上記係止部と摺擦する部分が面取りされていることを特徴とする請求項２記載のコネクタである。
この発明によれば、スライダをハウジングに組み付けるときに、脱落防止片の係止部と摺擦する部分が面取りされているので、そのスライダの組み付け時に、脱落防止片との摺擦によって係止部が削れることを防止することができる。
【００１０】
請求項４に記載の発明は、上記補強タブに対して上記スライダと幅方向反対側から対向する倒れ防止部をさらに含むことを特徴とする請求項２または３記載のコネクタである。
この発明によれば、補強タブに対してスライダと幅方向反対側に倒れ防止部が配置されているので、脱落防止片に係止部が当接した後、スライダをさらに引き出そうとしたときに、補強タブがスライダと反対側（脱落防止片が係止部から離脱する方向）に変形することを防止できる。そのため、脱落防止片が係止部から離脱することを防止でき、ハウジングからのスライダの脱落をより確実に防止することができる。
【発明を実施するための最良の形態】
【００１１】
以下では、この発明の実施の形態を、添付図面を参照して詳細に説明する。
図１および図２は、この発明の一実施形態に係るコネクタの構成を示す斜視図である。また、図３は、図１に示すコネクタの分解斜視図である。このコネクタ１は、配線基板（図示せず）に実装されて、その配線基板に電気接続部材としてのＦＰＣ（Flexible Printed Circuit：フレキシブルプリント回路）２（図６参照）を電気的に接続するためのものであり、金属製の複数のコンタクト３と、それらのコンタクト３を保持する樹脂製のハウジング４と、このハウジング４に対して前後方向にスライド可能に設けられ、ＦＰＣ２を複数のコンタクト３に押し付けるための樹脂製のスライダ５と、複数のコンタクト３の配線基板に対する接続を補強するための金属製の補強タブ６とを備えている。
【００１２】
コンタクト３は、たとえば、金属板を打ち抜いて形成され、互いに対向する弾性片部３１および固定片部３２と、これらの弾性片部３１および固定片部３２を結合する基端部３３と、この基端部３３に連結された略Ｌ字状のリード部３４とを有している。各コンタクト３のリード部３４が、配線基板のランドに半田接合される。また、弾性片部３１は、固定片部３２に対して近接／離間する方向に弾性的に揺動可能であり、その先端部には、ＦＰＣ２に接触する接触部３５が形成されている。
【００１３】
ハウジング４は、略直方体形状に形成されており、複数のコンタクト３を横並びに保持する。より具体的には、ハウジング４は、それぞれ略長方形板状に形成され、上下方向に所定間隔を空けて対向する上板部４１および下板部４２と、上板部４１と下板部４２との間において、ハウジング４の長手方向（以下「幅方向」という。）に間隔を空けて対向配置される側壁部４３と、各側壁部４３に対して幅方向外側に間隔を空けて対向配置される補強タブ挟持部４４とを一体的に備えている。
【００１４】
下板部４２には、各コンタクト３の固定片部３２が嵌合される嵌合溝４２１が、両側壁部４３の間において、幅方向にほぼ等間隔を空けて、それぞれ前後方向（スライダ５の挿抜方向）に延びて形成されている。各嵌合溝４２１にコンタクト３の固定片部３２が嵌合されることによって、複数のコンタクト３が、ハウジング４の前後方向に沿う姿勢で、ほぼ等間隔を空けて幅方向に並べて設けられる。また、上板部４１には、各コンタクト３の弾性片部３１の先端部と対向する位置に、弾性片部３１の弾性変形時にその先端部を逃がすための切欠溝４１１が形成されている。
【００１５】
各補強タブ挟持部４４は、上板部４１および下板部４２よりも前後方向の長さが短く形成されており、ハウジング４の両側面を形成する外側壁部４４１と、この外側壁部４４１に対して長手方向内側から対向する内側壁部４４２との間で、補強タブ６の後述する被挟持部６２を挟持する。また、各補強タブ挟持部４４は、外側壁部４４１の前端から手前側（スライダ５の後述する把持部５２に向けて）に突出して形成された倒れ防止部４４３を備えている。さらに、内側壁部４４２の側壁部４３と対向する面には、幅方向内側に向けて膨出する膨出部４４４（図４または図５参照）が形成されている。
【００１６】
スライダ５は、ハウジング４の長手方向に沿って延び、各コンタクト３の弾性片部３１と固定片部３２との間に挿入される略長方形板状の押圧板５１と、この押圧板５１の幅方向両端部から幅方向外側にそれぞれ延びる把持部５２と、各把持部５２から押圧板５１とほぼ平行に延びる１対の挿入アーム５３とを一体的に備えている。両把持部５２にそれぞれ指を掛けて、スライダ５を両指で摘んで、スライダ５をハウジングに対して挿抜させることができる。
【００１７】
各把持部５２は、幅方向外側の端面がハウジング４の幅方向両外側面（各外側壁部４４１の幅方向外側面）とほぼ面一となるように形成されており、ハウジング４の幅方向両外側に突出していない。そのため、このコネクタ１が配線基板に実装されたときに、そのコネクタ１の幅方向において、各把持部５２が配線基板上に配置スペースを専有することを防止できる。その結果、配線基板上におけるコネクタ１の専有面積を小さくすることができる。
【００１８】
各挿入アーム５３は、ハウジング４の各側壁部４３とそれに対向する補強タブ挟持部４４の内側壁部４４２との間に挿入される。各挿入アーム５３の幅方向外側面（内側壁部４４２と対向する面）には、平面視略三角形状の係止部５３１が、幅方向外側に突出して形成されている。
補強タブ６は、幅方向に直交する板状のタブ本体６１と、このタブ本体６１から奥側（ハウジング４の内側）に向けて延び、補強タブ挟持部４４に挟持される被挟持部６２と、タブ本体６１の下端縁から幅方向外側に向けて屈曲し、幅方向外側に延びる矩形板状の固定部としての半田付け部６３とを備えている。そして、半田付け部６３が配線基板に半田付けされることによって、複数のコンタクト３の配線基板に対する接続を補強することができ、このコネクタ１が配設基板から脱落することを防止できる。
【００１９】
また、タブ本体６１には、略コ字状に切り抜くことによって、タブ本体６１の前端部から幅方向内側かつ奥側に向けて斜めに延びる脱落防止片６４が形成されている。この脱落防止片６４は、幅方向に弾性変形可能であり、その先端両角部６４１，６４２が面取りされている。
図１または図２に示すように、タブ本体６１、半田付け部６３および脱落防止片６４は、補強タブ挟持部４４と把持部５２との間において露出している。言い換えれば、ハウジング４は、平面視において幅方向両端部が切り欠かれた形状を有し、その切り欠かれた部分において、タブ本体６１、半田付け部６３および脱落防止片６４が露出している。これにより、半田付け部６３の配線基板に対する半田付けを容易に行うことができ、このコネクタ１の配線基板への実装にかかる手間を軽減することができる。また、両補強タブ６の間隔を簡単に計測することができるので、両補強タブ６の間隔（一方の脱落防止片６４の先端と他方の脱落防止片６４の先端との間の間隔）を精度よく管理することができる。さらに、両把持部５２にそれぞれ指を掛けたときに、ハウジング４に指が掛かることを防止できる。そのため、スライダ５をハウジング４に対して挿抜させるときの操作性を向上させることができる。
【００２０】
さらにまた、このコネクタ１では、各半田付け部６３の幅方向外側端縁が、ハウジング４の幅方向両外側面よりも幅方向内側に位置している。そのため、このコネクタ１が配線基板に実装されたときに、配線基板上においてハウジング４が専有するスペース内に、各半田付け部６３を配置することができる。よって、半田付け部６３を備えながら、配線基板上におけるコネクタ１の専有面積の増大を防止することができる。
【００２１】
このような構成のコネクタ１は、各コンタクト３の固定片部３２をハウジング４の各嵌合溝４２１に嵌合させて、各コンタクト３をハウジング４に保持させるとともに、ハウジング４の手前側から、各補強タブ６の被挟持部６２を各補強タブ挟持部４４の外側壁部４４１と内側壁部４４２との間に挿入し、さらに、スライダ５の各挿入アーム５３をハウジング４の各側壁部４３とそれに対向する補強タブ挟持部４４の内側壁部４４２との間に挿入することによって組み立てられる。
【００２２】
このとき、スライダ５の各挿入アーム５３は、図４に示すように、係止部５３１が補強タブ６の脱落防止片６４に当接し、脱落防止片６４を幅方向外側に向けて押圧することによって弾性変形させながら、側壁部４３と内側壁部４４２との間に挿入されていく。そのため、スライダ５の装着時には、各挿入アーム５３の係止部５３１と脱落防止片６４との摺擦によって、樹脂製の各挿入アーム５３の係止部５３１が削られるおそれがある。そこで、このコネクタ１では、脱落防止片６４において、スライダ５の装着時に挿入アーム５３と当接する角部６４１が面取りされている。これによって、脱落防止片６４の摺擦による各挿入アーム５３の削れを防止することができる。
【００２３】
スライダ５をハウジング４の最奥まで挿入すると、図５（ａ）に示すように、各挿入アーム５３の係止部５３１が膨出部４４４の奥側に位置する。そして、この状態からスライダ５が引き出されるときには、図５（ｂ）に示すように、各挿入アーム５３が弾性変形し、係止部５３１が膨出部４４４を乗り越えることになる。これにより、スライダ５が不用意に引き出されることを防止でき、コネクタ１からのＦＰＣ２の不所望な抜けを防止することができる。しかも、膨出部４４４および係止部５３１の両方が樹脂製であるため、膨出部４４４と係止部５３１とが摺擦しても、膨出部４４４および係止部５３１が削れることを防止することができる。
【００２４】
そして、各挿入アーム５３の係止部５３１が膨出部４４４を乗り越えると、図５（ｃ）に示すように、各係止部５３１が各補強タブ６の脱落防止片６４の角部６４２に当接し、それ以上のスライダ５のスライドが防止される。これにより、スライダ５がハウジング４から脱落することを防止することができる。
また、脱落防止片６４の角部６４２が尖っていると、脱落防止片６４の角部６４２に係止部５３１が当接したときに、その樹脂製の係止部５３１が削れるおそれがある。そこで、このコネクタ１では、脱落防止片６４の角部６４２が面取りされている。これによって、脱落防止片６４の角部６４２の当接による各挿入アーム５３の削れを防止することができる。
【００２５】
さらにまた、各補強タブ６に対して幅方向外側に倒れ防止部４４３が配置されているので、各脱落防止片６４に各挿入アーム５３の係止部５３１が当接した後、スライダ５をさらに引き出そうとしたときに、各補強タブ６のタブ本体６１が幅方向外側に変形することを防止できる。そのため、各脱落防止片６４が各挿入アーム５３の係止部５３１から離脱することを防止でき、ハウジング４からのスライダ５の脱落をより確実に防止することができる。
【００２６】
スライダ５をハウジング４から引き出した状態において、スライダ５の押圧板５１と複数のコンタクト３の弾性片部３１との間に、ＦＰＣ２の端部を挿入し、その後、スライダ５をハウジング４の最奥まで挿入すると、図６に示すように、スライダ５の押圧板５１によってＦＰＣ２が複数のコンタクト３の弾性片部３１に押し付けられる。これにより、複数のコンタクト３とＦＰＣ２の確実な接続を達成することができる。
【００２７】
以上、この発明の一実施形態を説明したが、この発明は他の形態で実施することもできる。たとえは、上記の実施形態では、ＦＰＣ２の上面がコンタクトと接触する上接点タイプのコネクタ１を取り上げたが、この発明は、ＦＰＣ２がスライダ５によって下方に向けて押されて、ＦＰＣ２の下面がコンタクトと接触する下接点タイプのコネクタに適用することもできる。
【００２８】
また、コネクタ１に接続される電気接続部材としては、ＦＰＣ２に限らず、たとえば、ＦＦＣ（Flexible Flat Cable）であってもよい。
その他、特許請求の範囲に記載された事項の範囲で種々の設計変更を施すことが可能である。
【図面の簡単な説明】
【００２９】
【図１】この発明の一実施形態に係るコネクタの構成を示す斜視図であり、スライダがハウジングに収容された状態を示している。
【図２】コネクタの構成を示す斜視図であり、スライダがハウジングから引き出された状態を示している。
【図３】コネクタの分解斜視図である。
【図４】スライダ装着時の状態を示すコネクタの要部横断面図である。
【図５】スライダ挿抜時の状態を示すコネクタの要部横断面図である。
【図６】ＦＰＣを接続した状態を示すコネクタの縦断面図である。
【符号の説明】
【００３０】
１      コネクタ
２      ＦＰＣ
３      コンタクト
４      ハウジング
５      スライダ
６４    脱落防止片
４４３  倒れ防止部
４４４  膨出部
５３１  係止部
６４１  角部
６４２  角部
【図１】
2006048952.tif 000003
【図２】
2006048952.tif 000004
【図３】
2006048952.tif 000005
【図４】
2006048952.tif 000006
【図５】
2006048952.tif 000007
【図６】
2006048952.tif 000008